(57)【要約】【課題】ファクシミリ送信されてきた画像データをデジタルカメラに保存できるようにする。【解決手段】ファクシミリ装置Ｆは、ファクシミリ装置ＦとデジタルカメラＣとを接続し、ファクシミリ送信されて来た画像データを、デジタルカメラに転送する専用インターフェース１を設けている。【選択図】図１
2006253813.tif 000002
【特許請求の範囲】
【請求項１】
ファクシミリ装置とデジタルカメラとを接続し、ファクシミリ送信されてきた画像データを、デジタルカメラに転送する専用インターフェースを設けたことを特徴とするファクシミリ装置。
【請求項２】
請求項１において、
上記専用インターフェースは、ファクシミリ装置にファクシミリ送信されてきた画像データを、デジタルカメラでプレビュー表示の可能な画像形式に変換し、あるいは／および、無変換でデジタルカメラに転送する機能を備えているファクシミリ装置。
【請求項３】
請求項２において、
上記専用インターフェースは、データ形式、通信日時を含む通信情報を、上記画像データに付加してデジタルカメラに転送する機能を備えていることを特徴とするファクシミリ装置。
【請求項４】
請求項３において、
上記通信情報には、親展送信を判別するための親展コードを含んでおり、
上記専用インターフェースは、上記ファクシミリ装置に親展送信されてきたときには、上記親展コードをオンにして、デジタルカメラに転送する機能を備えていることを特徴とするファクシミリ装置。
【請求項５】
請求項１〜４のいずれかに記載のファクシミリ装置に接続され、
上記専用インターフェースを介して、上記ファクシミリ装置から転送されてきた無変換画像データを、その表示部に通信単位で、通信情報とともに特定のアイコンとしてサムネイル表示する機能を備えたデジタルカメラ。
【発明の詳細な説明】
【技術分野】
【０００１】
本発明は、ファクシミリ送信されてきた画像データをデジタルカメラに転送することが可能なファクシミリ装置と、そのファクシミリ装置に対応したデジタルカメラに関するものである。
【背景技術】
【０００２】
近時、ファクシミリ装置には、送信されてきた画像データを印字出力する代わりに、あるいは印字出力することにくわえて、自装置の記憶部あるいは外部の記憶装置にデータを保存することを可能としたものがある。
【０００３】
このような構成によれば、保存されたデータがバックアップとして、または通信データ管理にも利用でき、利用価値はきわめて高い。
【０００４】
また、一定の条件を設けて、その条件に合致する場合のみデータ転送することもできる。次の特許文献に記載の装置は、プリンタに障害があったときなどに、画像データを大容量の保存装置に格納するようにしている。
【特許文献１】特開平８−２６５５２７号公報
【発明の開示】
【発明が解決しようとする課題】
【０００５】
ところで、事務所などで使用されるファクシミリ装置の場合、複数の装置を社内ネットワークで結んでいるため、比較的簡単に上記のような保存装置を組み込むことができるが、個人ユーザの場合、別の保存装置を接続することは容易にできない。また、家庭向けファクシミリ装置はメモリ容量が少ないため、自装置内にデータを保存することも困難である。
【０００６】
本発明は、このような事情を考慮して提案されたもので、その目的は、ファクシミリ送信されてきた画像データを、自装置に接続したデジタルカメラのメモリに保存できるようにしたファクシミリ装置と、そのファクシミリ装置に対応したデジタルカメラを提供することにある。
【０００７】
また、家庭向けのファクシミリ装置はカラー画像や親展送信に対応していないものが多く、そのようなデータの受け付けを拒否する構成となっているが、そのような低機能のファクシミリ装置でも、それらのデータを受け付け、かつ保存できるようにすることも目的に含まれる。
【課題を解決するための手段】
【０００８】
上記目的を達成するために、請求項１に記載のファクシミリ装置は、ファクシミリ装置とデジタルカメラとを接続し、ファクシミリ送信されてきた画像データを、そのデジタルカメラに転送する専用インターフェースを設けている。
【０００９】
請求項２では、専用インターフェースが、ファクシミリ装置にファクシミリ送信されてきた画像データを、デジタルカメラでプレビュー表示の可能な画像形式に変換し、あるいは／および、無変換でデジタルカメラに転送する機能を備えていることを特徴とする。
【００１０】
請求項３では、専用インターフェースが、データ形式、通信日時を含む通信情報を、画像データに付加してデジタルカメラに転送する機能を備えていることを特徴とする。
【００１１】
請求項４では、通信情報には親展送信を判別するための親展コードを含んでおり、専用インターフェースは、ファクシミリ装置に親展送信されてきたときには、上記親展コードをオンにして、デジタルカメラに転送する機能を備えていることを特徴とする。
【００１２】
請求項５に記載のデジタルカメラは、請求項１〜３のいずれかに記載のファクシミリ装置に接続されて使用されるものであり、ファクシミリ装置の専用インターフェースを介して、ファクシミリ装置から転送されてきた無変換画像データを、その表示部に通信単位で、通信情報とともに特定のアイコンとしてサムネイル表示する機能を備えている。
【発明の効果】
【００１３】
請求項１に記載のファクシミリ装置によれば、デジタルカメラ転送用の専用インターフェースを設けているので、デジタルカメラのメモリを外部記憶装置として利用することができる。特に、メモリ容量の少ない家庭用のファクシミリ装置でも、デジタルカメラさえ接続すれば、画像データを保存しておくことができる。また、デジタルカメラから返送できるようにすれば、自装置であらためて印字出力することができる。
【００１４】
また、カラー画像や親展送信に対応していない低機能のファクシミリ装置であっても、デジタルカメラに接続していれば、自ら印字することなく転送保存が可能であるため、これらのデータを受け付けて、デジタルカメラに保存しておくことができる。これらのデータを自装置に返送しても、対応機能を有していないため印字することはできないが、デジタルカメラから他の高機能機種に転送すれば、そこでプリントアウトすることができる。
【００１５】
請求項２では、送信されてきた画像データを、デジタルカメラでプレビュー表示の可能な画像形式に変換する機能を備えているため、プリントアウトすることなく、デジタルカメラの画面でファクシミリ受信データを視認することができる。また、無変換で転送する機能を備えているため、デジタルカメラを単なるデータ保存装置として利用することもできる。
【００１６】
請求項３では、データ形式、通信日時などの通信情報を画像データにともなわせて転送しているため、デジタルカメラ側で、データ形式により表示が可能かどうかを判断でき、通信日時はプレビュー表示順やデータ管理などに利用できる。
【００１７】
請求項４では、親展送信されてきたときには親展コードをオンにして、画像データをデジタルカメラに転送する構成となっているため、転送先のデジタルカメラ側でこの親展コードを判断すれば、表示不可とすることができる。また、親展データは親展機能を有した高機能機種に転送して、そこでパスワード入力により印字することができる。
【００１８】
請求項５に記載のデジタルカメラは、上記ファクシミリ装置の専用インターフェースを介して転送されてきた無変換画像データを、表示部に通信単位で通信情報とともに特定のアイコンとして表示する構成であるため、デジタルカメラの画像形式に変換されていない無変換画像データであっても、ファクシミリ装置から転送されて保存されていることおよび通信日時などを確認することができる。
【００１９】
なお、デジタルカメラの画像形式に変換された転送データは、デジタルカメラで撮像された画像と混在させて、あるいは個別に、画像そのものをプレビュー表示することができる。
【発明を実施するための最良の形態】
【００２０】
以下に、本発明の実施の形態について、添付図面とともに説明する。
【実施例１】
【００２１】
図１は、本発明のファクシミリ装置の構成を示すブロック図である。
【００２２】
ファクシミリ装置Ｆは、ＣＰＵなどで構成された主制御部２、ＮＣＵ３、モデム４、画像メモリ５、ＲＡＭ６、ＲＯＭ７、表示部８、操作部９、読取部１０、記録部１１を備えているほか、デジタルカメラＣとＵＳＢなどで接続して、送信されてきた画像データをデジタルカメラＣに転送できるようにしたデジタルカメラ専用のインターフェース１を備えている。
【００２３】
このファクシミリ装置Ｆは、通常のファクシミリ送信、受信機能を有するほか、送信されてきた画像データを、デジタルカメラ専用インターフェース１を介してデジタルカメラＣに転送する機能を有している。
【００２４】
なお、本実施例では、カラー画像や親展送信に対応していない低機能の家庭用ファクシミリ装置を例示している。
【００２５】
図２は、ファクシミリ装置Ｆのデジタルカメラ転送機能の基本動作を示すフローチャートである。
【００２６】
デジタルカメラＣへの転送は、ファクシミリ受信時に実行される。
【００２７】
他のファクシミリ装置（不図示）から着呼があると、まずデジタルカメラＣが接続されているかどうかを判断し、接続されていなければ、相手先装置との通信プロトコルによって、そのファクシミリ装置Ｆの本来の機能に合致した宣言をし、つまりカラー画像や親展受信の能力がないことを宣言し、それに応じた画像データを受信し、印字出力する（以上、１０１〜１０４）。
【００２８】
したがって、この実施例のファクシミリ装置Ｆは、デジタルカメラＣが接続されていないときは、カラー画像や親展送信は受け付けない。
【００２９】
デジタルカメラＣが接続されていれば、通信プロトコルにおいてカラー画像や親展受信の能力があることを宣言し、親展送信などのコマンドを受信し、さらに画像データを受信し、所定の条件に合致するものについては、デジタルカメラＣに画像データを転送するための変換処理を実行して、通信情報とともにデータを送出する。上記条件に合致しないデータは、画像データを印字出力する（以上、１０１、１０５〜１１３、１０４）。
【００３０】
ここで、所定の条件とは、ステップ１０８〜１１１にあるように、記録部１１のプリンタが不能と判断されたとき、保存モードが設定されているとき、受信データがカラー画像であるとき、親展受信であるとき、などである。
【００３１】
すなわち、カラー画像や親展送信は必ずデジタルカメラＣに転送されるが、紙切れ、故障等でプリンタが不能となっているときや保存モードが設定されているときには、それだけに限らずすべての受信データが転送される構成となっており、その場合には白黒データであってもデジタルカメラＣにデータが転送される。
【００３２】
また、画像データとともに転送する通信情報には、通信日時、データ形式、データ量、親展コードなどが含まれる。データ形式は、デジタルカメラＣ側で、デジタルカメラ画像形式に変換されたか、無変換であるかを少なくとも判別できるものであればよいが、ＪＰＥＧ（変換）、ＪＰＥＧ（無変換）、ＭＲ（無変換）など詳細なデータ形式を区分できるようなコードであってもよい。親展コードは、親展送信されてきた場合にオンする。
【００３３】
変換処理（１１２）では、上記の条件のとき、受信データの種別に応じたデータ変換が行われる。
【００３４】
変換処理は、転送先であるデジタルカメラＣの表示部Ｃ１（図５を参照）でプレビュー表示ができるように、デジタルカメラ画像形式に変換するものであるが、表示する必要がないもの、あるいは表示を希望しないものについては無変換にて、デジタルカメラＣに送出する。
【００３５】
なお、上記の保存モードは、そのモードが設定されているときは、すべての受信画像データをデジタルカメラＣに転送するもので、留守電のような機能として位置付けられる。保存モードは、操作部９のモードスイッチ（不図示）などで設定を可能とする。また、ファクシミリ装置Ｆがプリンタ不能を検出したときに自動で保存モードに設定されるようにしてもよい。
【００３６】
図３には、変換処理の詳細を記載している。なお、この変換処理では、通信情報に含まれるデータ形式、親展コードのデータセットも実行する。
【００３７】
親展データは、本人にパスワードを入力させて印字出力する本来の機能を実現させるため、デジタルカメラＣでは再生を禁止している。そのため、カラー、白黒に関係なく無変換とする。デジタルカメラＣ側で、親展送信であることを判別させるため、通信情報の親展コードをオンにし、データ形式を「無変換」に設定する。
【００３８】
親展データ以外の場合、カラー画像であれば、受信したＪＰＥＧまたはＴＩＦ形式のデータをデジタルカメラ画像形式に変換する。デジタルカメラの画像形式は一般にＪＰＥＧであるが、解像度が特定されているため、受信画像がＪＰＥＧである場合にも、解像度が一致するように変換する。この場合には、通信情報のデータ形式を「変換」に設定する。
【００３９】
また、プリンタ不能、保存モードのときに受信された白黒データの場合には、ＭＨ、ＭＲ、ＭＭＲなどのデータ形式をデジタルカメラ画像形式に変換する。この場合も、通信情報のデータ形式を「変換」に設定する。
【００４０】
なお、上記の動作は一例であり、例えば、プリンタ不能、保存モードのときには、カラー／白黒に関係なく無変換としてもよいし、親展送信の場合に変換するようにしてもよい。また、データ転送とともに印字出力も行うようにしてもよい。
【００４１】
このように、デジタルカメラ転送用の専用インターフェース１を設けているので、デジタルカメラＣのメモリを外部記憶装置として利用することができる。特に、本実施例のようなメモリ容量の少ない家庭用のファクシミリ装置Ｆでも、デジタルカメラＣさえ接続すれば、送信されてきた画像データを保存しておくことができる。
【００４２】
また、画像データをデジタルカメラＣの画像形式に合わせて転送しているため、デジタルカメラＣのプレビュー表示で、受信したファクシミリの内容を参照することができ、印字することなく内容確認することができる。
【００４３】
次に、上記のファクシミリ装置Ｆに接続されるデジタルカメラＣの動作について説明する。
【００４４】
図４は、デジタルカメラＣのサムネイル画像の一覧表示動作を示すフローチャートである。また図５は、デジタルカメラＣの表示部Ｃ１にサムネイル形式で一覧表示した例を示した図である。
【００４５】
図５に示すように、デジタルカメラＣは、表示部Ｃ１に時系列で、デジタルカメラＣで撮影された画像と、転送されてきた通信単位のファクシミリデータとを混在させて表示するようにしている。その際には、親展データなど、デジタルカメラ画像形式に変換されていないデータは、画像の代わりに特定のアイコンを表示する。
【００４６】
例えば、図中のＣ１１には撮影画像、Ｃ１２にはファクシミリ無変換データのアイコン、Ｃ１３にはファクシミリ親展データのアイコン、Ｃ１４には変換されて送られてきた画像データが表示される。
【００４７】
図４はその動作フローを示しており、画像データを順次読み出して、デジタルカメラ撮影画像のときはその画像と撮影日時を表示し（２０１〜２０５）、ファクシミリ画像のときは、データ形式が変換されているときは画像をそのまま表示する一方、無変換であるときは、親展送信とそれ以外に対応した特定のアイコンを表示し、通信日時などの通信情報も同時に表示する（２０１〜２０３、２０６〜２１１）。
【００４８】
なお、通信単位の画像データが複数ページの場合は、一覧には先頭ページのみを表示させて、その画像を操作すれば後続する画像が順次、表示されるようにしてもよい。
【００４９】
この例では撮影画像とファクシミリ画像とを混在させているが、混在させずに、個別の一覧画面で表示させてもよい。
【００５０】
このようにデジタルカメラＣに保存されたファクシミリ画像は、そのままカラープリンタに接続して出力させることができる。また、親展データは、複合機など親展受信機能を有した装置に接続して、パスワードを入力すれば印字することができる。
【００５１】
また、ファクシミリ装置ＦにデジタルカメラＣからの入力端子を設けて、いったんデジタルカメラＣに保存した画像データを返送し、自装置Ｆの復旧したプリンタから出力するようにしてもよい。もちろん、そのような機能を実行するためには、デジタルカメラインターフェース１かデジタルカメラＣで逆変換する必要があることはいうまでもない。
【００５２】
以上の実施例では、ファクシミリ送信されてきた受信データをデジタルカメラに転送する構成としているが、送信データも転送するようにしてもよい。すなわち、この場合には、デジタルカメラの保存データが送信データのバックアップとして利用できる。
【図面の簡単な説明】
【００５３】
【図１】本発明のファクシミリ装置の構成を示すブロック図である。
【図２】本発明のファクシミリ装置の基本動作を示すフローチャートである。
【図３】変換処理の詳細を示した図である。
【図４】本発明のデジタルカメラの画像一覧表示動作を示すフローチャートである。
【図５】本発明のデジタルカメラで表示する画像一覧である。
【符号の説明】
【００５４】
Ｆ      ファクシミリ装置
１      デジタルカメラ専用インターフェース
Ｃ      デジタルカメラ
Ｃ１      表示部
【図１】
2006253813.tif 000003
【図２】
2006253813.tif 000004
【図３】
2006253813.tif 000005
【図４】
2006253813.tif 000006
【図５】
2006253813.tif 000007